(57)【要約】【課題】かな漢字変換処理用の適切な分野毎の辞書を選択する。【解決手段】使用者属性分析部２１０は、装置の使用者の使用者プロフィール１２１に記憶された情報と、かな漢字変換用の共通辞書であるシステム辞書２４１の見出しが選択された回数と、単語登録辞書２４２に使用者によって登録された見出しとから、装置の使用者の属性カテゴリを判断する。辞書選択部２２０は、使用者属性分析部２１０によって判断された装置の使用者の属性カテゴリに従って、適切な分野毎辞書を選択し、選択された辞書を辞書サーバ装置ＳＶからダウンロードして、ダウンロード辞書２４３として記憶させる。【選択図】図１４
2010039847.tif 000002
【特許請求の範囲】
【請求項１】
読みと、その読みを持つ見出しとが関連付けられた基本辞書と、
読みを見出しに変換するかな漢字変換手段と、
前記基本辞書に読みと、その読みを持つ見出しとを追加する単語登録手段と、
前記単語登録手段によって前記基本辞書に読みと、その読みを持つ見出しとが追加された場合、分野毎辞書と、見出しとが関連付けられた見出し対分野毎辞書対応を参照して、前記追加された見出しと関連付けられた分野毎辞書を選択する辞書選択手段とを備え、
前記分野毎辞書は、読みと、その読みを持つ見出しとが関連付けられ、
前記かな漢字変換手段は、前記辞書選択手段によって選択された分野毎辞書及び前記基本辞書を参照して、読みを見出しに変換する
ことを特徴とする文字入力装置。
【請求項２】
読みと、その読みを持つ見出しと、その見出しのカテゴリとが関連付けられた基本辞書と、
カテゴリ毎に参照された回数を記憶する参照回数記憶手段と、
前記基本辞書に含まれる読みと見出しとを参照して読みを見出しに変換し、その見出しと関連付けられたカテゴリの前記参照回数記憶手段に記憶された参照回数を更新するかな漢字変換手段と、
前記参照回数記憶手段に記憶された参照回数が所定の値を超えた場合、分野毎辞書と、辞書カテゴリとが関連付けられた辞書カテゴリ対分野毎辞書対応を参照して、前記所定の値を超えた回数の参照がされたカテゴリと等しい辞書カテゴリと関連付けられた分野毎辞書を選択する辞書選択手段とを備え、
前記分野毎辞書は、読みと、その読みを持つ見出しとが関連付けられ、
前記かな漢字変換手段は、前記辞書選択手段によって分野毎辞書が選択された場合、その選択された分野毎辞書及び前記基本辞書を参照して、読みを見出しに変換する
ことを特徴とする文字入力装置。
【請求項３】
読みと、その読みを持つ見出しとが関連付けられた基本辞書と、
読みを見出しに変換するかな漢字変換手段と、
使用者属性記憶手段と、
属性と、カテゴリとが関連付けられた属性対カテゴリ対応に含まれる属性を前記使用者属性記憶手段に記憶させる使用者属性制御手段と、
（ａ）前記属性対カテゴリ対応を参照して、前記使用者属性記憶手段に記憶された属性と関連付けられたカテゴリを選択し、（ｂ）分野毎辞書と、辞書カテゴリとが関連付けられた辞書カテゴリ対分野毎辞書対応を参照して、前記選択されたカテゴリと等しい辞書カテゴリと関連付けられた分野毎辞書を選択する辞書選択手段とを備え、
前記分野毎辞書は、読みと、その読みを持つ見出しとが関連付けられ、
前記かな漢字変換手段は、前記辞書選択手段によって選択された分野毎辞書及び前記基本辞書を参照して、読みを見出しに変換する
ことを特徴とする文字入力装置。
【請求項４】
前記見出し対分野毎辞書対応は、辞書サーバ装置から送信されたものである
ことを特徴とする請求項１に記載の文字入力装置。
【請求項５】
前記辞書カテゴリ対分野毎辞書対応は、辞書サーバ装置から送信されたものである
ことを特徴とする請求項２又は請求項３に記載の文字入力装置。
【請求項６】
前記属性対カテゴリ対応は、辞書サーバ装置から送信されたものである
ことを特徴とする請求項３に記載の文字入力装置。
【請求項７】
前記辞書選択手段は、前記選択された分野毎辞書の送信を辞書サーバ装置に要求し、その要求に応じて前記辞書サーバ装置から送信された分野毎辞書を受信する
ことを特徴とする請求項１乃至請求項３のいずれか１項に記載の文字入力装置。
【請求項８】
入力装置と、
表示手段とを更に備え、
前記辞書選択手段は、前記選択された分野毎辞書を識別する情報と、その分野毎辞書の可否を前記入力手段の操作によって入力することを促す表示とを前記表示手段に表示させ、
前記かな漢字変換手段は、前記入力手段によって可と入力された前記選択された分野毎辞書を参照し、前記入力手段によって可と入力されない前記選択された分野毎辞書を参照しない
ことを特徴とする請求項１乃至請求項３のいずれか１項に記載の文字入力装置。
【発明の詳細な説明】
【技術分野】
【０００１】
本発明は、文字入力装置に係り、特に、かな漢字変換処理で用いられる変換用辞書を選択する機能に関する。
【背景技術】
【０００２】
移動通信装置を始めとして、多くの装置でかな漢字変換処理を用いて漢字の入力が行われている。即ち、入力装置から漢字の読みがなを表音文字、例えば、ひらがな文字や、ひらがな文字をローマ字表記したアルファベット文字で入力し、ひらがな文字と見出しとが関連付けられたかな漢字変換用辞書（以後、単に辞書と称する。）を参照して、その入力された文字を見出しに変換する処理である。ここで、見出しは、漢字であることが多い。そこで、読みから見出しへの変換をかな漢字変換と称する。
【０００３】
なお、あるひらがな文字から変換され得る見出しは複数通りであることが多いので、装置は、複数通りの変換候補を表示し、装置の使用者は、その変換候補の中から所望の見出しを選択して、確定させることによって、装置は、変換を行う。ここで、変換される見出しの文字の文字種は、漢字のみに限るものではなく、漢字とかな文字とを含む文字列を含む。また、アルファベット文字や、記号文字や、かな文字を含む。かな文字とは、ひらがな文字と、カタカナ文字とである。
【０００４】
更に、入力されたひらがな文字そのものも１つの変換候補であって、そのひらがな文字が、かな漢字変換処理を介さずに、そのまま装置に入力された場合、その入力されたひらがな文字も、辞書の見出しに含まれているか否かを問わず、変換された見出しとみなす。また、変換された見出しは、１文字に限るものではなく、複数文字であることを含む。この複数文字は、単語であってもなくても良い。即ち、任意の文字列で良い。
【０００５】
入力される見出しは、装置の使用者に依存して異なることが知られている。そこで、装置の使用者の操作に従って、辞書に単語を登録する、即ち、ひらがな文字と見出しとを関連付けて辞書に記憶させる処理が知られている。更には、複数の辞書を用いて変換することが知られている。辞書の１つは、多くの使用者によって共通に使用される、基本的な見出しが記憶されたシステム辞書である。
【０００６】
その他の辞書は、システム辞書に追加して用いられる辞書であって、例えば、分野毎の専門用語が記憶された分野毎の辞書である。分野毎の辞書は、例えば、辞書サーバ装置からダウンロードされたダウンロード辞書である。ここで、分野は、医療、経済、スポーツ、地域など様々である。
【０００７】
使用する分野毎の辞書を選択することは、装置の使用者にとって、必ずしも容易なことではない。分野毎の辞書に如何なる見出しが記憶されているかが必ずしも明らかでないまま、使用者は、どの辞書が自分が作成する文章に適切であるかの判断を行う必要があるためである。
【０００８】
そこで、ＰＤＡ（Personal Digital Assistant）内に記憶された使用者のＰＩＭ（Personal Information Management）データに従って、そのＰＤＡで用いられる辞書を選択する処理が知られている。例えば、使用者の住所から、その住所が含まれる地域の地名の漢字が記憶された辞書を選択する処理である（例えば、特許文献１参照。）。
【特許文献１】特開２００２−１８３１２６号公報（第２、６頁、図２）
【発明の開示】
【発明が解決しようとする課題】
【０００９】
しかしながら、上述した特許文献１に開示されている手法は、ＰＩＭデータが記憶されたＰＤＡ以外の装置に適用することができない問題点があった。また、ＰＩＭデータによって適切な辞書が選択されるか否か、必ずしも明らかでない問題点があった。
【００１０】
本発明は上記問題点を解決するためになされたもので、かな漢字変換処理用の適切な分野毎の辞書を選択する文字入力装置を提供することを目的とする。
【課題を解決するための手段】
【００１１】
上記目的を達成するために、本発明の文字入力装置は、読みと、その読みを持つ見出しとが関連付けられた基本辞書と、読みを見出しに変換するかな漢字変換手段と、前記基本辞書に読みと、その読みを持つ見出しとを追加する単語登録手段と、前記単語登録手段によって前記基本辞書に読みと、その読みを持つ見出しとが追加された場合、分野毎辞書と、見出しとが関連付けられた見出し対分野毎辞書対応を参照して、前記追加された見出しと関連付けられた分野毎辞書を選択する辞書選択手段とを備え、前記分野毎辞書は、読みと、その読みを持つ見出しとが関連付けられ、前記かな漢字変換手段は、前記辞書選択手段によって選択された分野毎辞書及び前記基本辞書を参照して、読みを見出しに変換することを特徴とする。
【発明の効果】
【００１２】
本発明によれば、かな漢字変換処理用の適切な分野毎の辞書を選択することができる。
【発明を実施するための最良の形態】
【００１３】
以下に、本発明による文字入力装置の実施の形態を、図面を参照して説明する。図１は、本発明の実施形態に係る文字入力装置が適用された移動通信装置を含む辞書選択システムの構成を示すブロック図である。
【００１４】
この辞書選択システムは、移動通信装置ＭＳと、辞書サーバ装置ＳＶとからなり、移動通信装置ＭＳと、辞書サーバ装置ＳＶとは、通信網ＮＷで接続されている。なお、通信網ＮＷには、例えば、移動通信網と固定網とを介したインターネットが用いられるが、如何なる網が用いられても良い。また、インターネットに限るものではない。更に、移動通信装置ＭＳと、辞書サーバ装置ＳＶとがケーブルを介して直結されていても良い。
【００１５】
図１に示した構成では、この辞書選択システムは、１台の移動通信装置ＭＳと、１台の辞書サーバ装置ＳＶとからなるが、１台ずつの各装置に限るものではない。複数台の移動通信装置ＭＳを備えても良く、また、複数台の辞書サーバ装置ＳＶを備えても良い。なお、複数台の装置は、いずれも同じ構成であり、同じ動作をする。そのため、１台の移動通信装置ＭＳと、１台の辞書サーバ装置ＳＶとについて、構成と動作とを説明する。また、移動通信装置ＭＳと、辞書サーバ装置ＳＶとは、必ずしも排他的ではなく、１台の装置がこれらの２つの装置の動作を併せて行っても良い。
【００１６】
図２は、移動通信装置ＭＳの構成を示すブロック図である。この移動通信装置ＭＳは、移動通信網（図示せず）を介した通信を行う装置であって、装置全体の制御を行う制御部１１０と、データベース記憶部１２０と、移動通信網通信部１３０と、通信網ＮＷとの通信を行うために基地局（図示せず）との間で電波の送受信を行うアンテナ１３１と、送受信部１４０と、通話部１５０と、スピーカ１５１と、マイクロフォン１５２と、使用者属性分析部２１０と、辞書選択部２２０と、辞書ダウンロード管理情報記憶部２３０と、辞書記憶部２４０と、漢字入力部２５０と、入力装置２６０と、表示部２７０とを備える。
【００１７】
データベース記憶部１２０には、使用者プロフィール１２１が記憶される。辞書ダウンロード管理情報記憶部２３０には、使用者属性学習表２３１と、辞書カテゴリサンプル表２３２と、使用者選択辞書カテゴリ管理表２３３とが記憶される。辞書記憶部２４０には、共通に用いられるシステム辞書２４１と、装置の使用者によって情報が記憶される単語登録辞書２４２と、分野毎の辞書であるダウンロード辞書２４３とが記憶される。ここで、複数のダウンロード辞書２４３が記憶されても良い。
【００１８】
図３は、辞書サーバ装置ＳＶの構成を示すブロック図である。この辞書サーバ装置ＳＶは、例えば、ＨＴＴＰプロトコルによる通信を介してサービスを提供するＷｅｂサーバ装置であって、Ｗｅｂコンテンツとして分野毎の辞書と、その辞書に関連するデータを配信する装置である。そして、辞書サーバ装置ＳＶは、装置全体の制御を行う制御部３１０と、通信網ＮＷとの通信を行う固定網通信部３２０と、送受信部３３０と、辞書類配信部３４０と、辞書類記憶部３５０とからなる。辞書類記憶部３５０には、プロフィールカテゴリ対応３５１と、辞書コンテンツ３５２とが記憶される。
【００１９】
上記のように構成された、本発明の実施形態に係る移動通信装置ＭＳの各部の動作と、辞書サーバ装置ＳＶの各部の動作とを、図２及び図３を参照して説明する。
【００２０】
まず、移動通信装置ＭＳの各部の動作を説明する。移動通信網通信部１３０は、アンテナ１３１が受信した高周波信号を送受信部１４０へ出力し、また、送受信部１４０から出力される高周波信号をアンテナ１３１より送信する。
【００２１】
送受信部１４０は、移動通信網通信部１３０からの高周波信号を増幅、周波数変換及び復調し、それによって得られたデジタル音声信号を通話部１５０に送り、制御信号を制御部１１０に送り、また、辞書類の配信に係わる信号を辞書選択部２２０に送る。更には、通話部１５０から出力されるデジタル音声信号、制御部１１０から出力される制御信号、及び辞書選択部２２０から出力される辞書類の配信に係わる信号を変調、周波数変換及び増幅し、高周波信号を得て、それを移動通信網通信部１３０に送る。
【００２２】
ここで、辞書類の配信に係わる信号を辞書サーバ装置ＳＶとの間で送受する際、送受信部１４０は、辞書サーバ装置ＳＶが指定するプロトコル、例えば、ＨＴＴＰプロトコルによって送受する。
【００２３】
通話部１５０は、送受信部１４０から出力されるデジタル音声信号をアナログ音声信号に変換し、それを増幅してスピーカ１５１に送る。また、マイクロフォン１５２から出力されるアナログ音声信号を増幅し、それをデジタル音声信号に変換して送受信部１４０に送信する。
【００２４】
使用者属性分析部２１０は、装置の使用者の属性カテゴリを判断する。ここで、属性カテゴリとは、使用者が作成する文章が如何なる分野の文章であるかを示す指標である。この判断のため、使用者属性分析部２１０は、データベース記憶部１２０に記憶された使用者プロフィール１２１と、辞書記憶部２４０に記憶されたシステム辞書２４１及び単語登録辞書２４２を参照する。
【００２５】
辞書選択部２２０は、使用者属性分析部２１０によって判断された装置の使用者の属性カテゴリを参照して、辞書サーバ装置ＳＶからダウンロードすべき辞書を選択する。そして、選択された辞書をダウンロードし、ダウンロードされた辞書をダウンロード辞書２４３として、辞書記憶部２４０に記憶させる。
【００２６】
辞書ダウンロード管理情報記憶部２３０に記憶された使用者属性学習表２３１と、辞書カテゴリサンプル表２３２と、使用者選択辞書カテゴリ管理表２３３とは、ダウンロードすべき辞書を選択するために用いられる情報であって、使用者属性分析部２１０及び辞書選択部２２０によって記憶され、また、参照される。
【００２７】
漢字入力部２５０は、辞書記憶部２４０に記憶されたシステム辞書２４１と、単語登録辞書２４２と、ダウンロード辞書２４３とを参照して、ひらがな文字を見出しに変換する。ここで、参照順は、先ず単語登録辞書２４２、次にダウンロード辞書２４３、最後にシステム辞書２４１である。また、ひらがな文字と、見出しとを関連付けて、単語登録辞書２４２として辞書記憶部２４０に記憶させる。
【００２８】
入力装置２６０は、通信相手の電話番号などを指定し、また、トグル式の入力方式によってひらがな文字などの文字を入力するためのダイヤルキーと、機能の選択や、選択された機能の確定を指示するために用いられる機能キーとからなる。機能キーは、上、下、左、及び、右方向へカーソルを移動させる指示を入力するために用いられる、それぞれ上、下、左、及び、右方向を向かう矢印に類似した画像が表示されたカーソル移動キーと、決定キーとを含む。
【００２９】
入力装置２６０のキーが操作、例えば押下されると、そのキーの識別子が制御部１１０に通知され、制御部１１０の制御に基づいて、そのキーの操作が文字の入力のためにされた場合、その識別子は、ひらがな文字、数字文字、アルファベット文字又は記号文字に変換される。
【００３０】
変換された文字の識別子及び機能キーの識別子は、制御部１１０及びそれらの識別子が通知された装置内の各部の処理により、表示部２７０に文字として表示されたり、キーの操作及び解放に基づく制御が行われたりする。なお、変換されたひらがな文字は、漢字入力部２５０によって見出しに変換された後、装置内の各部に通知されることがある。
【００３１】
表示部２７０は、バックライト付きのＬＣＤ（Liquid Crystal Display）であり、制御部１１０に制御されることで、漢字を含む文字、数字及び画像の表示動作を行い、表示されているデータは、入力装置２６０からの入力操作や着信信号の受信などに応答して制御部１１０からの指示を受けることで切換わる。また、所定の時間に渡って入力装置２６０からの入力操作や着信信号の受信がない場合、表示部２７０は、制御部１１０に制御されて表示を終了する。
【００３２】
次に、辞書サーバ装置ＳＶの各部の動作を説明する。固定網通信部３２０は、通信網ＮＷから受信された高周波信号を送受信部３３０へ出力し、また、送受信部３３０から出力される高周波信号を通信網ＮＷに送信する。
【００３３】
送受信部３３０は、固定網通信部３２０からの高周波信号を増幅、周波数変換及び復調し、それによって得られた制御信号を制御部３１０に送り、また、辞書類の配信に係わる信号を辞書類配信部３４０に送る。更には、制御部３１０から出力される制御信号、及び辞書類配信部３４０から出力される辞書類の配信に係わる信号を変調、周波数変換及び増幅し、高周波信号を得て、それを固定網通信部３２０に送る。ここで、辞書類の配信に係わる信号を移動通信装置ＭＳとの間で送受する際、送受信部３３０は、ＨＴＴＰプロトコルによって送受する。
【００３４】
辞書類配信部３４０は、移動通信装置ＭＳから送信された要求に応じて、辞書類記憶部３５０に記憶されたプロフィールカテゴリ対応３５１及び辞書コンテンツ３５２の一部又は全部を移動通信装置ＭＳに配信する。
【００３５】
以下、本実施形態に係る移動通信装置ＭＳにおける適切な辞書をダウンロードする動作を説明する。
【００３６】
図４は、データベース記憶部１２０に記憶される使用者プロフィール１２１の構成の一例を示す。この使用者プロフィール１２１は、装置の使用者の属性を示す、職業１２１ａと、趣味１２１ｂと、出身地１２１ｃとが関連付けられた情報からなる。なお、図４では、職業１２１ａと、趣味１２１ｂと、出身地１２１ｃとが隣接して記憶されるように、また、複数の関連付けられた情報が隣接して記憶されているように図示したが、この構成は、理解を容易にするためである。記憶される際、この構成に限るものではない。また、これらの情報以外に、例えば、氏名や、氏名の読みがなや、住所などが含まれていても良い。
【００３７】
職業１２１ａは、装置の使用者の職業であって、１つ又は複数の職業である。趣味１２１ｂは、装置の使用者の趣味であって、１つ又は複数の趣味である。出身地１２１ｃは、装置の使用者の出身地であり、複数の出身地であっても良い。
【００３８】
これら３つの情報は、例えば、入力装置２６０の所定のキー操作によって入力された任意の情報である。又は、職業の一覧、趣味の一覧、及び、出身地の一覧、例えば、都道府県の一覧と国名の一覧から選択された情報である。
【００３９】
なお、使用者プロフィール１２１は、かな漢字変換処理用の適切な分野毎の辞書を選択する動作のためだけに記憶される情報ではない。例えば、Ｗｅｂサーバ装置（図示せず）に記憶された情報から装置の使用者に適した情報を選択して受信するため、ブラウザ部（図示せず）によって用いられる。また、氏名は、電子メール送受信部（図示せず）によって送信される電子メールの送信者の欄に用いられる。
【００４０】
図５は、辞書ダウンロード管理情報記憶部２３０に記憶される使用者属性学習表２３１の構成の一例を示す。この使用者属性学習表２３１は、分類２３１ａと、使用者登録項目２３１ｂと、使用者属性カテゴリ２３１ｃとが関連付けられた情報からなる。
【００４１】
なお、図５では、使用者属性学習表２３１は、表形式の構成であるように図示したが、表形式に限るものではない。即ち、分類２３１ａと、使用者登録項目２３１ｂと、使用者属性カテゴリ２３１ｃとが隣接して記憶されるように、また、複数の関連付けられた情報が隣接して記憶されているように図示したが、この構成は、理解を容易にするためである。
【００４２】
分類２３１ａは、適切な分野毎辞書の観点から、装置の使用者の属性カテゴリを得るために参照された情報を示し、「プロフィール」、「単語登録」、及び、「システム辞書」の中のいずれかの値である。「プロフィール」は、使用者プロフィール１２１が参照されたことを示す。「単語登録」は、単語登録辞書２４２が参照されたことを示す。「システム辞書」は、システム辞書２４１が参照されたことを示す。
【００４３】
使用者登録項目２３１ｂは、上記参照された情報の中で、装置の使用者の属性カテゴリを得た要因となった値である。分類２３１ａが「プロフィール」である場合、使用者登録項目２３１ｂは、使用者プロフィール１２１に記憶された値である。分類２３１ａが「単語登録」である場合、使用者登録項目２３１ｂは、単語登録辞書２４２に記憶された見出しである。分類２３１ａが「システム辞書」である場合、上記要因は、後述するように、システム辞書２４１中の見出しがかな漢字変換に用いられた回数と閾値との比較結果であるので、使用者登録項目２３１ｂは、値を設定する必要がなく、意味を持たない。
【００４４】
使用者属性カテゴリ２３１ｃは、分類２３１ａを参照し、参照された中の使用者登録項目２３１ｂを要因として得られた、装置の使用者の属性カテゴリである。後述するように、このカテゴリは、辞書のカテゴリと同じ値である。
【００４５】
図６は、辞書ダウンロード管理情報記憶部２３０に記憶される辞書カテゴリサンプル表２３２の構成の一例を示す。この辞書カテゴリサンプル表２３２は、辞書識別情報２３２ａと、辞書カテゴリ２３２ｂと、サンプル候補２３２ｃとが関連付けられた情報からなる。
【００４６】
なお、図６では、辞書カテゴリサンプル表２３２は、表形式の構成であるように図示したが、表形式に限るものではない。即ち、辞書識別情報２３２ａと、辞書カテゴリ２３２ｂと、サンプル候補２３２ｃとが隣接して記憶されるように、また、複数の関連付けられた情報が隣接して記憶されているように図示したが、この構成は、理解を容易にするためである。
【００４７】
辞書識別情報２３２ａは、分野毎の辞書を一意に識別する情報である。辞書カテゴリ２３２ｂは、辞書識別情報２３２ａによって識別される辞書のカテゴリであり、その辞書が如何なる分野で用いられる見出しを含んでいるかを示す。サンプル候補２３２ｃは、辞書識別情報２３２ａによって識別される辞書に含まれる見出しであって、その辞書に特有な見出しである。又は、辞書カテゴリ２３２ｂに特有な見出しである。ここで、図６に示した「ＡＢＣＤＥクラブ」は、プロサッカーチームの名称の仮称である。
【００４８】
なお、辞書カテゴリサンプル表２３２には、上記以外に、移動通信装置ＭＳの使用者が分野毎の辞書を容易に識別するための情報、例えば、その辞書の名称や、その辞書を作成したベンダの名称などが関連付けられていても良い。
【００４９】
図６に示す辞書カテゴリサンプル表２３２では、同じ辞書識別情報２３２ａ、かつ、辞書カテゴリ２３２ｂに対して、サンプル候補２３２ｃとされる見出しが複数存在する場合、複数組の関連付けられた辞書カテゴリサンプル表２３２が記憶されるとした。サンプル候補２３２ｃを検索キーとした検索が高速に行なわれるためである。そのため、辞書識別情報２３２ａと、辞書カテゴリ２３２ｂとの対を取り出すと、重複がある。
【００５０】
そこで、上記見出しが複数存在する場合、１組の関連付けられた辞書カテゴリサンプル表２３２が記憶される構成としても良い。このように記憶されると、辞書識別情報２３２ａと、辞書カテゴリ２３２ｂとの対に重複がない。一方、サンプル候補２３２ｃには、複数の見出しが含まれる。この構成によれば、記憶容量の削減が可能である。
【００５１】
図７は、辞書ダウンロード管理情報記憶部２３０に記憶される使用者選択辞書カテゴリ管理表２３３の構成の一例を示す。この使用者選択辞書カテゴリ管理表２３３は、辞書識別情報２３３ａと、辞書カテゴリ２３３ｂと、使用者属性分析結果２３３ｃと、使用者選択２３３ｄと、ダウンロード結果２３３ｅとが関連付けられた情報からなる。
【００５２】
なお、図７では、使用者選択辞書カテゴリ管理表２３３は、表形式の構成であるように図示したが、表形式に限るものではない。即ち、辞書識別情報２３３ａと、辞書カテゴリ２３３ｂと、使用者属性分析結果２３３ｃと、使用者選択２３３ｄと、ダウンロード結果２３３ｅとが隣接して記憶されるように、また、複数の関連付けられた情報が隣接して記憶されているように図示したが、この構成は、理解を容易にするためである。
【００５３】
辞書識別情報２３３ａは、分野毎の辞書を一意に識別する情報であって、辞書識別情報２３２ａと同じ情報である。辞書カテゴリ２３３ｂは、辞書識別情報２３３ａによって識別される辞書のカテゴリであって、辞書カテゴリ２３２ｂと同じ情報である。そこで、辞書識別情報２３３ａと、辞書カテゴリ２３３ｂとの対は、辞書識別情報２３２ａと、辞書カテゴリ２３２ｂとの対と同じ情報の対である。
【００５４】
使用者属性分析結果２３３ｃは、辞書識別情報２３３ａによって識別される辞書は、装置の使用者の使用に適した分野毎の辞書であるか否かを示し、適していると判断された場合、「有効」なる値である。一方、適していると判断されていない場合、値が記憶されない。
【００５５】
使用者選択２３３ｄは、使用者属性分析結果２３３ｃに「有効」なる値が記憶されている場合に意味を持ち、辞書識別情報２３３ａによって識別される辞書は、装置の使用者によってダウンロードすると選択されたか否かを示す。ダウンロードすると選択された場合、「○」なる値であり、ダウンロードしないと選択された場合、「×」なる値である。
【００５６】
ダウンロード結果２３３ｅは、使用者属性分析結果２３３ｃに「有効」なる値が記憶されている場合に意味を持ち、辞書識別情報２３３ａによって識別される辞書がダウンロードされているか否かを示す。ダウンロードされている場合、「済」なる値であり、ダウンロードされていない場合、「否」なる値である。
【００５７】
なお、使用者選択辞書カテゴリ管理表２３３には、上記以外に、移動通信装置ＭＳの使用者が分野毎の辞書を容易に識別するための情報、例えば、その辞書の名称や、その辞書を作成したベンダの名称などが関連付けられていても良い。
【００５８】
システム辞書２４１は、システム辞書本体と、システム辞書カウンタよりなる。図８は、辞書記憶部２４０に記憶されるシステム辞書２４１のシステム辞書本体２４１ａの構成の一例を示す。このシステム辞書本体２４１ａは、読み２４１ｂと、見出し２４１ｃと、品詞２４１ｄと、カテゴリ２４１ｅとが関連付けられた情報からなる。
【００５９】
なお、図８では、読み２４１ｂと、見出し２４１ｃと、品詞２４１ｄと、カテゴリ２４１ｅとが隣接して記憶されるように、また、複数の関連付けられた情報が隣接して記憶されているように図示したが、この構成は、理解を容易にするためである。記憶される際、この構成に限るものではない。また、これらの情報は、暗号化されていても良い。
【００６０】
読み２４１ｂは、ひらがな文字によって表された読みがなである。見出し２４１ｃは、読み２４１ｂが変換される漢字などの文字によって表される語である。そして、見出し２４１ｃが活用する語である場合、その語の語幹である。また、見出し２４１ｃが活用する語である場合、読み２４１ｂは、その語の語幹に対応する読みである。
【００６１】
なお、既に述べたように、見出し２４１ｃは、漢字のみに限るものではなく、漢字とかな文字とを含む文字列を含む。また、アルファベット文字や、記号文字や、かな文字を含む。かな文字とは、ひらがな文字と、カタカナ文字とである。
【００６２】
品詞２４１ｄは、見出し２４１ｃの品詞であり、見出し２４１ｃが活用する語である場合、その活用の種類を含む。また、品詞は、細かく分類されていても良い。図８には、品詞２４１ｄとして、「名詞」が例示されている。この他に、「動詞」、「形容詞」、「副詞」、「地名」等の品詞がある。「動詞」については、活用形が品詞２４１ｄに含まれる。
【００６３】
カテゴリ２４１ｅは、見出し２４１ｃが属するカテゴリであり、辞書カテゴリサンプル表２３２の辞書カテゴリ２３２ｂと同じ値である。なお、カテゴリ２４１ｅは、複数のカテゴリを示す値を含んでも良い。また、全ての見出し２４１ｃに関連付けられてカテゴリ２４１ｅに値が記憶されていると限るものではない。即ち、一般に広く用いられる見出し２４１ｃに関連付けられたカテゴリ２４１ｅに値が記憶されない。図８では、「会社」なる見出し２４１ｃに対してカテゴリ２４１ｅに値が記憶されないことを例示した。
【００６４】
図９は、辞書記憶部２４０に記憶されるシステム辞書２４１のシステム辞書カウンタ２４１ｆの構成の一例を示す。このシステム辞書カウンタ２４１ｆは、カテゴリ２４１ｇと、参照回数２４１ｈとが関連付けられた情報からなる。なお、図９では、カテゴリ２４１ｇと、参照回数２４１ｈとが隣接して記憶されるように、また、複数の関連付けられた情報が隣接して記憶されているように図示したが、この構成は、理解を容易にするためである。記憶される際、この構成に限るものではない。
【００６５】
カテゴリ２４１ｇは、システム辞書本体２４１ａのカテゴリ２４１ｅと同種の値であり、説明を省略する。なお、カテゴリ２４１ｇは、１つの値である。参照回数２４１ｈは、カテゴリ２４１ｇと等しいシステム辞書本体２４１ａのカテゴリ２４１ｅと関連付けられた見出し２４１ｃが、漢字入力部２５０のかな漢字変換の変換結果として用いられた回数を示す０以上の自然数である。なお、参照回数２４１ｈの初期値は、例えば、０である。
【００６６】
図１０は、辞書記憶部２４０に記憶される単語登録辞書２４２の構成の一例を示す。この単語登録辞書２４２は、読み２４２ａと、見出し２４２ｂと、品詞２４２ｃとが関連付けられた情報からなる。なお、図１０では、読み２４２ａと、見出し２４２ｂと、品詞２４２ｃとが隣接して記憶されるように、また、複数の関連付けられた情報が隣接して記憶されているように図示したが、この構成は、理解を容易にするためである。記憶される際、この構成に限るものではない。また、これらの情報は、暗号化されていても良い。
【００６７】
読み２４２ａは、読み２４１ｂと同じ種類の情報である。見出し２４２ｂは、見出し２４１ｃと同じ種類の情報である。品詞２４２ｃは、品詞２４１ｄと同じ種類の情報である。そこで、読み２４２ａと、見出し２４２ｂと、品詞２４２ｃとについての説明を省略する。単語登録辞書２４２には、１つ又は複数の関連付けられた情報が含まれても良く、また、含まれないとしても良い。
【００６８】
図１１は、辞書記憶部２４０に記憶されるダウンロード辞書２４３の構成の一例を示す。このダウンロード辞書２４３は、読み２４３ａと、見出し２４３ｂと、品詞２４３ｃとが関連付けられた情報からなる。なお、図１１では、読み２４３ａと、見出し２４３ｂと、品詞２４３ｃとが隣接して記憶されるように、また、複数の関連付けられた情報が隣接して記憶されているように図示したが、この構成は、理解を容易にするためである。記憶される際、この構成に限るものではない。また、これらの情報は、暗号化されていても良い。
【００６９】
読み２４３ａは、読み２４１ｂと同じ種類の情報である。見出し２４３ｂは、見出し２４１ｃと同じ種類の情報である。品詞２４３ｃは、品詞２４１ｄと同じ種類の情報である。そこで、読み２４３ａと、見出し２４３ｂと、品詞２４３ｃとについての説明を省略する。ダウンロード辞書２４３は、この辞書を識別する情報や、この辞書の記憶に必要な記憶容量や、バージョンや、更新日時などのこの辞書の属性を含んでも良い。ダウンロード辞書２４３は、１つ又は複数が記憶されても良く、また、記憶されなくとも良い。
【００７０】
図１２は、辞書類記憶部３５０に記憶されるプロフィールカテゴリ対応３５１の構成の一例を示す。このプロフィールカテゴリ対応３５１は、プロフィール項目３５１ａと、プロフィール値３５１ｂと、使用者属性カテゴリ３５１ｃとが関連付けられた情報からなる。なお、図１２では、プロフィール項目３５１ａと、プロフィール値３５１ｂと、使用者属性カテゴリ３５１ｃとが隣接して記憶されるように、また、複数の関連付けられた情報が隣接して記憶されているように図示したが、この構成は、理解を容易にするためである。記憶される際、この構成に限るものではない。
【００７１】
プロフィール項目３５１ａは、使用者プロフィール１２１の項目であって、既に説明したように、「職業」、「趣味」、及び、「出身地」の中のいずれかの値である。プロフィール値３５１ｂは、プロフィール項目３５１ａによって識別される使用者プロフィール１２１の項目に記憶される値である。そこで、プロフィール値３５１ｂについての説明を省略する。使用者属性カテゴリ３５１ｃは、既に説明した使用者属性学習表２３１の使用者属性カテゴリ２３１ｃに記憶される値である。そこで、使用者属性カテゴリ３５１ｃについての説明を省略する。
【００７２】
図１３は、辞書類記憶部３５０に記憶される辞書コンテンツ３５２の構成の一例を示す。この辞書コンテンツ３５２は、辞書識別情報３５２ａと、辞書カテゴリ３５２ｂと、サンプル候補３５２ｃと、辞書３５２ｄとが関連付けられた情報からなる。
【００７３】
なお、図１３では、辞書識別情報３５２ａと、辞書カテゴリ３５２ｂと、サンプル候補３５２ｃと、辞書３５２ｄとが隣接して記憶されるように、また、複数の関連付けられた情報が隣接して記憶されているように図示したが、この構成は、理解を容易にするためである。記憶される際、この構成に限るものではない。
【００７４】
特に、辞書３５２ｄは、記憶のために大きな記憶容量を必要とするので、ファイルとして記憶され、図１３に例示したように、辞書３５２ｄには、そのファイルのファイル名が記憶されるとしても良い。また、辞書３５２ｄは、辞書専用記憶領域に記憶され、辞書３５２ｄには、その領域を識別するアドレスが記憶されるとしても良い。また、辞書３５２ｄは、暗号化されていても良い。
【００７５】
辞書識別情報３５２ａは、辞書識別情報２３２ａと同じ種類の情報である。辞書カテゴリ３５２ｂは、辞書カテゴリ２３２ｂと同じ種類の情報である。サンプル候補３５２ｃは、サンプル候補２３２ｃと同じ種類の情報である。そこで、辞書識別情報３５２ａと、辞書カテゴリ３５２ｂと、サンプル候補３５２ｃとの説明を省略する。
【００７６】
なお、サンプル候補３５２ｃは、図１３に例示したように、複数の値を含むことがある。辞書３５２ｄは、ダウンロード辞書２４３である。なお、辞書コンテンツ３５２は、更に、辞書３５２ｄの記憶に必要な記憶容量や、バージョンや、更新日時などの辞書３５２ｄの属性を含んでも良い。
【００７７】
なお、辞書コンテンツ３５２には、上記以外に、移動通信装置ＭＳの使用者が辞書３５２ｄを容易に識別するための情報、例えば、その辞書の名称や、その辞書を作成したベンダの名称などが関連付けられていても良い。
【００７８】
ここで、以下に説明する、適切な辞書を選択する動作における辞書に係る情報の流れを取りまとめて、図１４を参照して説明する。図１４で、二本線矢印は、辞書に係る情報の流れを示し、一本線矢印は、辞書の参照を示す。なお、この情報の流れは、以下に説明する各部の動作の理解を助けるために、情報の流れの概要を説明するものである。この概要には含まれない情報の流れもあり、また、情報の流れを簡略化した部分もある。
【００７９】
適切な辞書を選択するための基礎の１つは、使用者プロフィール１２１である。即ち、使用者プロフィール１２１には、装置の使用者の属性、即ち、プロフィールが含まれる。
【００８０】
適切な辞書を選択するための基礎の別の１つは、漢字入力部２５０によるかな漢字変換動作である。即ち、入力装置２６０から入力されたひらがな文字は、漢字入力部２５０に送られ（Ｔ５０１）、漢字入力部２５０は、システム辞書２４１のシステム辞書本体２４１ａ、単語登録辞書２４２及びダウンロード辞書２４３を参照して（Ｔ５０２）、上記ひらがな文字を見出しに変換して、表示部２７０に表示させる（Ｔ５０３）。
【００８１】
ここで、システム辞書本体２４１ａの見出し２４１ｃへの変換が使用者によって選択されると、その見出し２４１ｃと関連付けられたカテゴリ２４１ｅと等しいカテゴリ２４１ｇの参照回数２４１ｈを増加させてシステム辞書カウンタ２４１ｆが更新記憶される。また、漢字入力部２５０は、単語登録辞書２４２を参照するのみならず、新たに読みと見出しとを関連付けて単語登録辞書２４２に記憶させる（Ｔ５０４）。
【００８２】
使用者属性分析部２１０は、使用者プロフィール１２１に含まれる情報と（Ｔ５０５）、システム辞書カウンタ２４１ｆに含まれる参照回数２４１ｈと（Ｔ５０６）、単語登録辞書２４２に記憶された見出し２４２ｂと（Ｔ５０７）から、装置の使用者の属性のカテゴリを分析し、分析されたカテゴリを使用者属性学習表２３１の使用者属性カテゴリ２３１ｃに記憶させる。
【００８３】
辞書選択部２２０は、使用者属性分析部２１０によって得られた使用者属性学習表２３１の使用者属性カテゴリ２３１ｃから（Ｔ５０８）、装置の使用者に適した分野毎の辞書を選択し、その選択された辞書のダウンロードを送受信部１４０を経由して（Ｔ５０９）、辞書サーバ装置ＳＶに要求する（Ｔ５１０）。
【００８４】
辞書サーバ装置ＳＶは、ダウンロードを要求された辞書を移動通信装置ＭＳに送り（Ｔ５１１）、その辞書を受信した送受信部１４０は、その辞書をダウンロード辞書２４３として記憶させる（Ｔ５１２）。
【００８５】
各部の動作の説明に移る。先ず、移動通信装置ＭＳの各部の動作を、制御部１１０が使用者プロフィール１２１を記憶させる動作から説明する。図１５は、制御部１１０が使用者プロフィール１２１を記憶させる動作のフローチャートを示す。制御部１１０は、入力装置２６０の所定のキー操作に従って、使用者プロフィール１２１を記憶させる動作を開始する（ステップＳ６０１）。
【００８６】
制御部１１０は、入力装置２６０の所定のキー操作に従って、使用者プロフィール１２１の項目、即ち、「職業」、「趣味」及び「出身地」の中のいずれか１つを選択する（ステップＳ６０２）。そして、選択された使用者プロフィール１２１の項目として用いられる値を表示部２７０に一覧表示する（ステップＳ６０３）。
【００８７】
ここで、使用者プロフィール１２１の３つの項目として用いられる値は、辞書サーバ装置ＳＶに、プロフィールの項目と、そのプロフィール項目として用いられる値の対応の送信を要求し、その要求に応じて送信された情報を用いる。なお、これらの情報は、辞書サーバ装置ＳＶの辞書類記憶部３５０に記憶されたプロフィールカテゴリ対応３５１のプロフィール項目３５１ａと、プロフィール値３５１ｂとである。
【００８８】
制御部１１０は、一覧表示された値の中の１つを入力装置２６０の所定のキー操作に従って入力し（ステップＳ６０４）、ステップＳ６０２で選択された項目が「職業」であれば、その入力された値を職業１２１ａに設定し、上記選択された項目が「趣味」であれば、その入力された値を趣味１２１ｂに設定し、また、上記選択された項目が「出身地」であれば、その入力された値を出身地１２１ｃに設定し、使用者プロフィール１２１を更新記憶させて（ステップＳ６０５）、ステップＳ６０２の使用者プロフィール１２１の項目を選択する動作に移る。
【００８９】
制御部１１０は、入力装置２６０の所定のキー操作に従って、任意の動作ステップで使用者プロフィール１２１を記憶させる動作を終了する（図示せず）。この動作を終了するにあたり、辞書サーバ装置ＳＶから送信されたプロフィールの項目と、そのプロフィール項目として用いられる値とは、削除する。これらの情報を記憶する記憶容量を解放するためである。また、次回の使用者プロフィール１２１を記憶させる動作の際、最新のプロフィールの項目と、そのプロフィール項目として用いられる値との対応を用いるためである。
【００９０】
しかし、制御部１１０は、プロフィールの項目と、そのプロフィール項目として用いられる値との対応を削除しなくとも良い。削除しないことにより、次回の使用者プロフィール１２１を記憶させる動作の際、辞書サーバ装置ＳＶに送信を要求する必要がなく、処理時間の短縮と、通信量の削減が得られる。
【００９１】
制御部１１０は、使用者プロフィール１２１を記憶させた際、その旨を使用者属性分析部２１０に通知する。この通知に際し、記憶させたプロフィールの項目と値とを併せて通知する。
【００９２】
なお、ステップＳ６０４の一覧表示された値を入力する動作は、ステップＳ６０３で一覧表示された値の中の１つにカーソルを置いて表示し、制御部１１０は、カーソル位置を入力装置２６０のカーソル移動キーの操作によって移動させる。そして、入力装置２６０の決定キーの操作によって、カーソルが置かれた値を入力しても良い。
【００９３】
また、制御部１１０は、ステップＳ６０３の値を一覧表示する動作を行わず、ステップＳ６０４では、入力装置２６０のキー操作に従って入力された任意の値を入力しても良い。
【００９４】
次に、漢字入力部２５０が辞書記憶部２４０に記憶された辞書を更新する動作を説明する。漢字入力部２５０が辞書を更新する第１の動作は、システム辞書２４１のシステム辞書カウンタ２４１ｆの参照回数２４１ｈの更新動作である。
【００９５】
漢字入力部２５０は、システム辞書２４１のシステム辞書本体２４１ａを参照して、読み２４１ｂを見出し２４１ｃに変換する。なお、読み２４１ｂと関連付けられた見出し２４１ｃが複数であれば、入力装置２６０の所定のキー操作によってそれらの複数の見出し２４１ｃの中の１つが選択された後、漢字入力部２５０は、その変換された、又は、選択された見出し２４１ｃと関連付けられたカテゴリ２４１ｅと等しいカテゴリ２４１ｇと関連付けられた参照回数２４１ｈの整数値に１を加えて、システム辞書カウンタ２４１ｆを更新記憶させる。
【００９６】
漢字入力部２５０が辞書を更新する第２の動作は、単語登録である。即ち、漢字入力部２５０は、入力装置２６０の所定のキー操作によって読みと、見出しと、品詞とを入力し、それらのそれぞれを読み２４２ａに、見出し２４２ｂに、品詞２４２ｃに設定した単語登録辞書２４２を辞書記憶部２４０に追加記憶させる。
【００９７】
漢字入力部２５０は、参照回数２４１ｈが更新され、更新された参照回数２４１ｈが所定の整数値になった際、その旨を使用者属性分析部２１０に通知する。この通知に際し、更新記憶された参照回数２４１ｈと関連付けられたカテゴリ２４１ｇを併せて通知する。また、漢字入力部２５０は、単語登録がされた際、その旨を使用者属性分析部２１０に通知する。この通知に際し、追加記憶された単語登録辞書２４２の見出し２４２ｂを併せて通知する。
【００９８】
図１６は、使用者属性分析部２１０が装置の使用者の属性カテゴリを判断する動作のフローチャートを示す。使用者属性分析部２１０は、制御部１１０から送信された、使用者プロフィール１２１を記憶させた旨の通知を受信した際、漢字入力部２５０から送信された、参照回数２４１ｈが所定の整数値となった旨の通知を受信した際、及び、漢字入力部２５０から送信された単語登録がされた旨の通知を受信した際、動作を開始する（ステップＳ７０１）。
【００９９】
使用者属性分析部２１０は、動作開始の契機となった通知を調べ（ステップＳ７０２）、その通知が、制御部１１０から送信された使用者プロフィール１２１を記憶させた旨である場合、辞書サーバ装置ＳＶに、プロフィール項目として用いられる値と、使用者属性カテゴリとの対応の送信を要求し、その要求に応じて送信された情報を受信する（ステップＳ７０３）。なお、これらの情報は、辞書サーバ装置ＳＶの辞書類記憶部３５０に記憶されたプロフィールカテゴリ対応３５１のプロフィール値３５１ｂと、使用者属性カテゴリ３５１ｃとである。
【０１００】
使用者属性分析部２１０は、制御部１１０から通知された使用者プロフィール１２１の値と等しい、辞書サーバ装置ＳＶから送信されたプロフィール項目として用いられる値を検索して、検索された値と対をなす使用者属性カテゴリを得る。そして、分類２３１ａに「プロフィール」、使用者登録項目２３１ｂに上記使用者プロフィール１２１の値、使用者属性カテゴリ２３１ｃに上記得られた使用者属性カテゴリを設定した使用者属性学習表２３１を、辞書ダウンロード管理情報記憶部２３０に記憶させて（ステップＳ７０４）、使用者の属性カテゴリを判断する動作を終了する（ステップＳ７０５）。この動作終了に際し、使用者属性分析部２１０は、辞書選択部２２０に使用者属性学習表２３１が更新された旨を通知する（図示せず）。
【０１０１】
また、この動作終了に際し、使用者属性分析部２１０は、辞書サーバ装置ＳＶから送信されたプロフィール項目として用いられる値と、使用者属性カテゴリとの対応を削除する。これらの情報を記憶する記憶容量を解放するためである。また、次回の制御部１１０から送信された使用者プロフィール１２１を記憶させた旨を契機とする動作の際、最新のプロフィール項目として用いられる値と、使用者属性カテゴリとの対応を用いるためである。
【０１０２】
しかし、制御部１１０は、プロフィール項目として用いられる値と、使用者属性カテゴリとの対応を削除しなくとも良い。削除しないことにより、次回の制御部１１０から送信された使用者プロフィール１２１を記憶させた旨を契機とする動作の際、辞書サーバ装置ＳＶに送信を要求する必要がなく、処理時間の短縮と、通信量の削減が得られる。
【０１０３】
なお、ステップＳ７０４で、制御部１１０から通知された更新された使用者プロフィール１２１の値が、更新以前に記憶されていた値の変更であれば、使用者属性分析部２１０は、上記使用者属性学習表２３１の更新に当り、更新以前に記憶されていた使用者属性学習表２３１を更新記憶させる。
【０１０４】
また、制御部１１０から通知された使用者プロフィール１２１の値と等しい、辞書サーバ装置ＳＶから送信されたプロフィール項目として用いられる値が検索されない場合、使用者属性分析部２１０は、上記制御部１１０から通知された値と、上記辞書サーバ装置ＳＶから送信された値との類似度を判定する。そして、最も高い類似度であると判定された辞書サーバ装置ＳＶから送信された値が検索されたとみなして動作する。
【０１０５】
ステップＳ７０２で、動作開始の契機となった通知が漢字入力部２５０から送信された参照回数２４１ｈが所定の整数値となった旨である場合、使用者属性分析部２１０は、併せて通知されたカテゴリ２４１ｇを使用者属性カテゴリ２３１ｃに、「システム辞書」を分類２３１ａに設定し、使用者登録項目２３１ｂに値を設定しない使用者属性学習表２３１を辞書ダウンロード管理情報記憶部２３０に記憶させて（ステップＳ７０６）、使用者の属性カテゴリを判断する動作を終了する（ステップＳ７０５）。この動作終了に際し、使用者属性分析部２１０は、辞書選択部２２０に使用者属性学習表２３１が更新された旨を通知する。
【０１０６】
動作開始の契機となった通知が漢字入力部２５０から送信された単語登録がされた旨である場合、使用者属性分析部２１０は、辞書サーバ装置ＳＶに、分野毎辞書を識別する情報と、辞書カテゴリと、見出しとの対応の送信を要求し、その要求に応じて送信された情報を受信する。なお、これらの情報は、辞書サーバ装置ＳＶの辞書類記憶部３５０に記憶された辞書コンテンツ３５２の辞書識別情報３５２ａと、辞書カテゴリ３５２ｂと、サンプル候補３５２ｃとである。
【０１０７】
そして、使用者属性分析部２１０は、受信された分野毎辞書を識別する情報を辞書識別情報２３２ａに、受信された辞書カテゴリを辞書カテゴリ２３２ｂに、受信された見出しをサンプル候補２３２ｃに設定して、辞書カテゴリサンプル表２３２を辞書ダウンロード管理情報記憶部２３０に記憶させる（ステップＳ７０７）。
【０１０８】
なお、辞書サーバ装置ＳＶから辞書の名称や、辞書を作成したベンダの名称などが併せて送信された場合、使用者属性分析部２１０は、それらの名称を辞書カテゴリサンプル表２３２に併せて設定する。ここで、１つの分野毎辞書を識別する情報に対応して複数の見出しが受信された場合、それぞれの見出しをサンプル候補２３２ｃに設定された複数の辞書カテゴリサンプル表２３２を記憶させる。
【０１０９】
また、使用者選択辞書カテゴリ管理表２３３に値が記憶されていない場合、使用者属性分析部２１０は、ステップＳ７０７で記憶された辞書カテゴリサンプル表２３２の辞書識別情報２３２ａと、辞書カテゴリ２３２ｂとの対を、使用者選択辞書カテゴリ管理表２３３の辞書識別情報２３３ａと、辞書カテゴリ２３３ｂとの対に設定して、使用者選択辞書カテゴリ管理表２３３を新規記憶させる。なお、この対の設定に際し、重複する対は、１つを設定する。
【０１１０】
この設定の際、辞書カテゴリサンプル表２３２に辞書の名称や、辞書を作成したベンダの名称などが含まれている場合、使用者属性分析部２１０は、使用者選択辞書カテゴリ管理表２３３にそれらの名称を併せて記憶させる。
【０１１１】
一方、使用者選択辞書カテゴリ管理表２３３の辞書識別情報２３３ａと、辞書カテゴリ２３３ｂとに値が記憶されている場合、使用者属性分析部２１０は、ステップＳ７０７で記憶された辞書カテゴリサンプル表２３２の辞書識別情報２３２ａと、辞書カテゴリ２３２ｂとの対によって、使用者選択辞書カテゴリ管理表２３３の辞書識別情報２３３ａと、辞書カテゴリ２３３ｂとの対を更新記憶させる。
【０１１２】
この更新記憶の際、使用者属性分析部２１０は、ステップＳ７０７で記憶された辞書識別情報２３２ａと等しい辞書識別情報２３３ａに関連付けられた辞書カテゴリ２３３ｂを更新する。また、ステップＳ７０７で記憶された辞書識別情報２３２ａと等しい辞書識別情報２３３ａが使用者選択辞書カテゴリ管理表２３３に記憶されていない場合、新規記憶させる。
【０１１３】
更に、辞書識別情報２３３ａがステップＳ７０７で記憶された辞書識別情報２３２ａに含まれていない場合、使用者属性分析部２１０は、上記辞書識別情報２３３ａに関連付けられた使用者属性分析結果２３３ｃと、使用者選択２３３ｄと、ダウンロード結果２３３ｅとに情報が記憶されていない（特に、ダウンロード結果２３３ｅに「済」と記憶されていない。）なら、上記辞書識別情報２３３ａを含む使用者選択辞書カテゴリ管理表２３３を削除する。
【０１１４】
一方、上記使用者属性分析結果２３３ｃと、使用者選択２３３ｄと、ダウンロード結果２３３ｅとに情報が記憶されている（特に、ダウンロード結果２３３ｅに「済」と記憶されている。）なら、使用者属性分析部２１０は、上記辞書識別情報２３３ａを含む使用者選択辞書カテゴリ管理表２３３は、更新しない。既にダウンロードされた分野毎辞書に係る使用者選択辞書カテゴリ管理表２３３の削除は好ましくないからである。
【０１１５】
以上説明した、使用者選択辞書カテゴリ管理表２３３を新規記憶、又は、更新記憶させる動作は、受信された分野毎辞書を識別する情報を辞書識別情報２３２ａに、受信された辞書カテゴリを辞書カテゴリ２３２ｂに、受信された見出しをサンプル候補２３２ｃに設定して、辞書カテゴリサンプル表２３２を辞書ダウンロード管理情報記憶部２３０に記憶させる度に行なう（図示せず）。
【０１１６】
使用者属性分析部２１０は、追加記憶された単語登録辞書２４２の見出し２４２ｂと等しいサンプル候補２３２ｃが辞書カテゴリサンプル表２３２に記憶されているか否かを調べる（ステップＳ７０８）。記憶されている場合、その記憶されたサンプル候補２３２ｃと関連付けられて記憶された辞書カテゴリ２３２ｂを使用者属性カテゴリ２３１ｃに、追加記憶された単語登録辞書２４２の見出し２４２ｂを使用者登録項目２３１ｂに、分類２３１ａに「単語登録」を設定した使用者属性学習表２３１を辞書ダウンロード管理情報記憶部２３０に更新記憶させて（ステップＳ７０９）、使用者の属性カテゴリを判断する動作を終了する（ステップＳ７０５）。この動作終了に際し、使用者属性分析部２１０は、辞書選択部２２０に使用者属性学習表２３１が更新された旨を通知する。
【０１１７】
ステップＳ７０８で、記憶されていない場合、使用者属性分析部２１０は、使用者属性学習表２３１を辞書ダウンロード管理情報記憶部２３０に更新記憶させることなく、使用者の属性カテゴリを判断する動作を終了する（ステップＳ７０５）。この情報を更新しないままの動作終了に際し、使用者属性分析部２１０は、辞書選択部２２０に使用者属性学習表２３１が更新された旨を通知しない。
【０１１８】
使用者属性分析部２１０は、一旦記憶させた使用者属性学習表２３１を削除させることなく、次回以降の動作の際にも参照する。そこで、次回の動作以降、既に使用者属性学習表２３１に記憶された使用者属性カテゴリ２３１ｃの値について、適切か否かの判断をしても良い。即ち、辞書サーバ装置ＳＶに送信要求することによって受信された情報が更新されている場合、使用者属性カテゴリ２３１ｃの更新を行っても良い。
【０１１９】
以上の説明では、使用者属性分析部２１０は、制御部１１０から送信された、使用者プロフィール１２１を記憶させた旨の通知を受信した都度、漢字入力部２５０から送信された、参照回数２４１ｈが所定の整数値となった旨の通知を受信した都度、及び、漢字入力部２５０から送信された単語登録がされた旨の通知を受信した都度、動作を開始するとしたが、動作開始の契機は、これらに限るものではない。
【０１２０】
使用者属性分析部２１０が動作する回数を減らし、消費される電力を削減する効果を得るためには、使用者属性分析部２１０は、上記通知を所定回数受信する度に動作を開始しても良い。即ち、制御部１１０から送信された使用者プロフィール１２１を記憶させた旨の通知を所定回数受信した際、漢字入力部２５０から送信された参照回数２４１ｈが所定の整数値となった旨の通知を所定回数受信した際、及び、漢字入力部２５０から送信された単語登録がされた旨の通知を所定回数受信した際、使用者属性分析部２１０は、動作を開始しても良い。
【０１２１】
また、使用者属性分析部２１０は、入力装置２６０の所定のキー操作に従って、動作を開始しても良い。また、所定の時間間隔で動作を開始しても良い。このキー操作に従って動作を開始した場合、及び、所定の時間間隔で動作を開始した場合、上記説明した３通りの契機の中で、いずれの契機にも該当しないなら、使用者属性分析部２１０は、直ちに動作を終了する。また、複数の契機に該当するなら、それぞれの契機に対応した動作をする。即ち、ステップＳ７０３以降の動作、ステップＳ７０６の動作、及び、ステップＳ７０７以降の動作の中の複数の動作を行う。
【０１２２】
図１７は、辞書選択部２２０がダウンロードする辞書を選択し、選択された辞書をダウンロードする動作のフローチャートを示す。辞書選択部２２０は、使用者属性分析部２１０から使用者属性学習表２３１が更新されたとの通知を受信して動作を開始する（ステップＳ８０１）。
【０１２３】
辞書選択部２２０は、使用者属性学習表２３１を参照して、ダウンロードすることが有効であると判断される分野毎辞書を選択する（ステップＳ８０２）。即ち、使用者属性学習表２３１の使用者属性カテゴリ２３１ｃと等しい使用者選択辞書カテゴリ管理表２３３の辞書カテゴリ２３３ｂを検索する。
【０１２４】
ここで、多すぎる分野毎辞書を選択しないために、辞書選択部２２０は、使用者属性カテゴリ２３１ｃとして、同じ値が所定個以上記憶されている場合に限って、その使用者属性カテゴリ２３１ｃに係る分野毎辞書を選択するとしても良い。また、使用者属性カテゴリ２３１ｃが記憶された個数の算出の際、それぞれの使用者属性カテゴリ２３１ｃと関連付けられた分類２３１ａに依存する重み付けをし、重み付けされた個数の和が所定個以上である場合に限って、分野毎辞書を選択するとしても良い。更に、選択される分野毎辞書は、所定個以内としても良い。
【０１２５】
なお、使用者選択辞書カテゴリ管理表２３３に値が記憶されていない場合、辞書選択部２２０は、辞書カテゴリサンプル表２３２の辞書識別情報２３２ａと、辞書カテゴリ２３２ｂとの対を、使用者選択辞書カテゴリ管理表２３３の辞書識別情報２３３ａと、辞書カテゴリ２３３ｂとの対に設定して、使用者選択辞書カテゴリ管理表２３３を記憶させる。なお、この対の設定に際し、重複する対は、１つを設定する。
【０１２６】
この設定の際、辞書カテゴリサンプル表２３２に辞書の名称や、辞書を作成したベンダの名称などが含まれている場合、辞書選択部２２０は、使用者選択辞書カテゴリ管理表２３３にそれらの名称を併せて記憶させる。
【０１２７】
また、更に、辞書カテゴリサンプル表２３２が記憶されていない場合、辞書選択部２２０は、辞書サーバ装置ＳＶに分野毎辞書を識別する情報と、辞書カテゴリとの対応の送信を要求する。そして、この要求に応じて送信された情報を受信し、受信された分野毎辞書を識別する情報と、辞書カテゴリとの対を辞書識別情報２３３ａと、辞書カテゴリ２３３ｂとの対に設定して、使用者選択辞書カテゴリ管理表２３３を記憶させる。
【０１２８】
辞書サーバ装置ＳＶから辞書の名称や、辞書を作成したベンダの名称などが併せて送信された場合、辞書選択部２２０は、それらの名称を使用者選択辞書カテゴリ管理表２３３に併せて設定する。なお、送信された情報は、辞書サーバ装置ＳＶの辞書類記憶部３５０に記憶された辞書コンテンツ３５２の辞書識別情報３５２ａと、辞書カテゴリ３５２ｂとである。
【０１２９】
また、使用者選択辞書カテゴリ管理表２３３が記憶されている場合、辞書選択部２２０は、使用者選択辞書カテゴリ管理表２３３の更新を行なっても良い。この更新の動作は、使用者属性分析部２１０の動作説明で行った通りである。
【０１３０】
検索された辞書カテゴリ２３３ｂがある場合、１つが検索されたか、複数が検索されたかを問わず、辞書選択部２２０は、検索された辞書カテゴリ２３３ｂと関連付けて記憶された使用者属性分析結果２３３ｃに「有効」と設定し、使用者選択辞書カテゴリ管理表２３３を更新記憶させる。なお、既に、使用者属性分析結果２３３ｃに「有効」と記憶されている場合、更新記憶させる必要はない。
【０１３１】
辞書選択部２２０は、上記検索された辞書カテゴリ２３３ｂと関連付けて記憶された使用者選択２３３ｄが「○」でない分野毎辞書を識別する情報を表示部２７０に表示し、更に、表示された分野毎辞書を識別する情報のそれぞれに対し、その情報で識別される分野毎辞書をダウンロードするか否かの指示を入力装置２６０の所定のキー操作によって入力するように促す。この表示の際、その辞書の記憶に必要な記憶容量や、バージョンや、更新日時など、その辞書の属性を表示する（ステップＳ８０３）。
【０１３２】
なお、この分野毎辞書を識別する情報を表示部２７０に表示する動作は、例えば、ポップアップメニューによる。また、マスコットキャラクタの表示による。又は、電子メール送受信部を介して、電子メールの送信によって通知する。この電子メールによって通知した場合、辞書選択部２２０は、送信された電子メールに対する回答の電子メールを受信し、その受信された電子メールの内容によって、分野毎辞書をダウンロードするか否かの指示とする。そのため、電子メールの受信までは、動作を中断する。
【０１３３】
分野毎辞書を識別する情報の一例は、辞書識別情報２３３ａである。また、その情報の別の一例は、辞書識別情報２３３ａに代えて、又は、加えて、辞書カテゴリ２３３ｂ、その分野別辞書の名称、及び、その分野別辞書を作成したベンダの名称の中の１つ又は複数である。
【０１３４】
辞書選択部２２０は、ダウンロードの指示がされたか否かを判断し（ステップＳ８０４）、ダウンロード指示がされた上記分野毎辞書を識別する情報に関連付けて記憶された使用者選択２３３ｄに「○」を設定して使用者選択辞書カテゴリ管理表２３３を更新記憶させる（ステップＳ８０５）。
【０１３５】
そして、辞書選択部２２０は、上記分野毎辞書を識別する情報に関連付けられた辞書識別情報２３３ａによって識別される辞書のダウンロードを辞書サーバ装置ＳＶに要求し、要求に応じて送信された辞書をダウンロード辞書２４３として辞書記憶部２４０に記憶させる（ステップＳ８０６）。この辞書は、辞書サーバ装置ＳＶの辞書コンテンツ３５２の辞書３５２ｄである。なお、辞書識別情報２３３ａをダウンロード辞書２４３の一部として辞書記憶部２４０に記憶させても良い。また、辞書に併せてその辞書の記憶に必要な記憶容量や、バージョンや、更新日時など、その辞書の属性が送信された場合、それらの属性をダウンロード辞書２４３の一部として辞書記憶部２４０に記憶させても良い。
【０１３６】
そして、辞書選択部２２０は、上記辞書識別情報２３３ａに関連付けて記憶されたダウンロード結果２３３ｅに「済」を設定して使用者選択辞書カテゴリ管理表２３３を更新記憶させ（ステップＳ８０７）、ダウンロードする辞書を選択し、選択された辞書をダウンロードする動作を終了する（ステップＳ８０８）。
【０１３７】
辞書選択部２２０は、ステップＳ８０４でダウンロード指示がされない辞書識別情報２３３ａに関連付けて記憶された使用者選択２３３ｄに「×」を設定して使用者選択辞書カテゴリ管理表２３３を更新記憶させ（ステップＳ８０９）、その辞書識別情報２３３ａに関連付けて記憶されたダウンロード結果２３３ｅに「否」を設定して使用者選択辞書カテゴリ管理表２３３を更新記憶させ（ステップＳ８１０）、ダウンロードする辞書を選択し、選択された辞書をダウンロードする動作を終了する（ステップＳ８０８）。
【０１３８】
以上の動作で、ステップＳ８０３で検索された辞書カテゴリ２３３ｂが複数ある場合、辞書選択部２２０は、ある辞書カテゴリ２３３ｂに関してはステップＳ８０５〜ステップＳ８０７の動作をし、他の辞書カテゴリ２３３ｂに関してはステップＳ８０９及びステップＳ８１０の動作をさせることがある（図示せず）。
【０１３９】
ステップＳ８０３で、辞書選択部２２０は、検索された辞書識別情報２３３ａと関連付けて記憶された使用者選択２３３ｄが「○」でない分野毎辞書を識別する情報を表示部２７０に表示した。即ち、その使用者選択２３３ｄが「×」である分野毎辞書を識別する情報も表示部２７０に表示する。この結果、辞書選択部２２０の前回の動作時には、装置の使用者がダウンロードしないと指示した分野毎辞書について、使用者属性分析部２１０からの通知を契機として、改めてダウンロードを促す効果が得られる。
【０１４０】
なお、ステップＳ８０６の動作及びステップＳ８０７の動作は、ステップＳ８０５の動作に引き続いて行われると限る必要はない。例えば、通話部１５０が動作しないと予想される深夜の時間帯に行なわれるとしても良い。ダウンロードが完了したか否かは、使用者選択辞書カテゴリ管理表２３３の使用者選択２３３ｄと、ダウンロード結果２３３ｅとを参照することによって容易に判断可能であって、辞書選択部２２０は、如何なる時刻にダウンロード動作を開始するにせよ、ダウンロードすべき分野毎辞書を識別することが容易に可能である。
【０１４１】
また、辞書選択部２２０は、「済」であるダウンロード結果２３３ｅと関連付けられた辞書識別情報２３３ａで識別される辞書に関し、辞書サーバ装置ＳＶにバージョンや、更新日時を問い合わせ、その辞書識別情報２３３ａで識別されるダウンロード辞書２４３のバージョンや、更新日時と比較する。そして、辞書識別情報２３３ａで識別される辞書が更新されたと判断された場合、その辞書の送信を要求して、ダウンロード辞書２４３を更新記憶させる。この更新記憶させる動作は、以上説明した如何なる契機によって開始されても良い。
【０１４２】
以上の説明で、辞書選択部２２０は、使用者属性分析部２１０から使用者属性学習表２３１が更新されたとの通知を受信して動作を開始するとしたが、動作開始の契機は、これに限るものではない。例えば、入力装置２６０の所定のキー操作に従って、動作を開始しても良い。入力装置２６０の所定のキー操作に従って、動作を開始することとすれば、装置の使用者が通話などの通信をしない時間に辞書選択部２２０を動作させることができ、辞書選択部２２０の動作に含まれる辞書をダウンロードする動作と、通話などの通信動作を同時に行わせないことが容易に可能である。
【０１４３】
このキー操作に従って動作を開始した場合、ステップＳ８０２の動作で、ダウンロードすることが有効であると判断される分野毎辞書が得られないなら、辞書選択部２２０は、直ちに動作を終了する。
【０１４４】
辞書サーバ装置ＳＶの辞書類配信部３４０の動作を説明する。辞書類配信部３４０は、移動通信装置ＭＳから送信され、送受信部３３０によって受信された辞書類の送信要求を受信して、辞書類記憶部３５０に記憶されたプロフィールカテゴリ対応３５１及び辞書コンテンツ３５２の一部又は全部を移動通信装置ＭＳへ送信する。
【０１４５】
上記送信要求の第１は、プロフィールの項目と、そのプロフィール項目として用いられる値の対応の送信の要求である。この要求を受信すると、辞書類配信部３４０は、辞書類記憶部３５０に記憶されたプロフィールカテゴリ対応３５１のプロフィール項目３５１ａと、プロフィール値３５１ｂとの対を送信する。
【０１４６】
上記送信要求の第２は、プロフィール項目として用いられる値と、使用者属性カテゴリとの対応の送信の要求である。この要求を受信すると、辞書類配信部３４０は、辞書類記憶部３５０に記憶されたプロフィールカテゴリ対応３５１のプロフィール値３５１ｂと、使用者属性カテゴリ３５１ｃとの対を送信する。
【０１４７】
上記送信要求の第３は、分野毎辞書を識別する情報と、辞書カテゴリと、見出しとの対応の送信の要求である。この要求を受信すると、辞書類配信部３４０は、辞書類記憶部３５０に記憶された辞書コンテンツ３５２の辞書識別情報３５２ａと、辞書カテゴリ３５２ｂと、サンプル候補３５２ｃとの対を送信する。なお、辞書コンテンツ３５２に辞書の名称や、辞書を作成したベンダの名称などが含まれている場合、辞書類配信部３４０は、それらの名称を併せて送信する。また、この送信要求の第３で、見出しの送信が含まれない場合、サンプル候補３５２ｃを送信しない。
【０１４８】
上記送信要求の第４は、辞書のダウンロードの要求である。この要求を受信すると、辞書類配信部３４０は、この要求に伴って受信された辞書を識別する情報と辞書識別情報３５２ａとが等しい辞書３５２ｄを辞書コンテンツ３５２から検索して、送信する。なお、辞書３５２ｄに併せて、その辞書３５２ｄの識別情報や、その辞書３５２ｄの記憶に必要な記憶容量や、バージョンや、更新日時などの属性が記憶されている場合、それらの属性を併せて送信する。
【０１４９】
上記送信要求の第５は、辞書のバージョンや、更新日時の送信の要求である。この要求を受信すると、辞書類配信部３４０は、この要求に伴って受信された辞書を識別する情報と辞書識別情報３５２ａとが等しい辞書３５２ｄのバージョンや、更新日時などの属性が記憶されている場合、それらのバージョンや、更新日時を送信する。
【０１５０】
以上の説明は、移動通信装置ＭＳが辞書サーバ装置ＳＶの辞書類記憶部３５０に記憶された情報の送信を要求し、その要求に応じて辞書サーバ装置ＳＶから送信された情報を移動通信装置ＭＳが用いるとした。しかし、この送信の一部又は全部は、移動通信装置ＭＳが要求することによって行われると限るものではない。辞書サーバ装置ＳＶからブロードキャストされた、又は、マルチキャストされた情報を移動通信装置ＭＳが受信するとしても良い。
【０１５１】
更に、ブロードキャストによることなく、移動通信装置ＭＳは、出荷時に辞書サーバ装置ＳＶの辞書類記憶部３５０に記憶された情報の一部又は全部を、移動通信装置ＭＳ内に記憶しているとしても良い。
【０１５２】
即ち、制御部１１０は、移動通信装置ＭＳ内に記憶されたプロフィールカテゴリ対応を参照して使用者プロフィール１２１に値を設定するとしても良い。また、使用者属性分析部２１０及び辞書選択部２２０は、移動通信装置ＭＳ内に記憶された分野毎辞書の中から、適切な辞書を選択し、ダウンロード辞書２４３として記憶させる、又は、漢字入力部２５０に参照させるとしても良い。
【０１５３】
また、辞書サーバ装置ＳＶの辞書類記憶部３５０に記憶された情報の一部又は全部は、可能な外部記憶媒体、例えば、ＳＤカードに記憶され、移動通信装置ＭＳは、取り外し可能な外部記憶媒体接続部（図示せず）を有するとしても良い。即ち、制御部１１０、使用者属性分析部２１０及び辞書選択部２２０は、その接続部に取り付けられた取り外し可能な外部記憶媒体に記憶された情報を、辞書サーバ装置ＳＶに記憶された情報と同様に扱うことができる。
【０１５４】
以上の説明は、単語登録辞書２４２への単語登録を要因として、適切な分野毎辞書を選択して、ダウンロード辞書２４３として記憶させるとした。更に、単語登録辞書２４２の削除を要因として、使用者属性分析部２１０と、辞書選択部２２０を動作させても良い。この動作によって、記憶されたダウンロード辞書２４３の中で、適切でないと判断されたものを削除する効果が得られる。
【０１５５】
また、記憶されたダウンロード辞書２４３の中で、適切でないものを選択するには、ダウンロード辞書２４３の見出し２４３ｂがかな漢字変換の結果として選択された回数を更新記憶する。この選択された回数の増加が乏しいダウンロード辞書２４３は、適切でないと判断することができる。
【０１５６】
以上の説明は、適切な分野毎辞書を選択して、ダウンロード辞書２４３として記憶させるとしたが、これに限るものではない。適切な辞書を選択し、選択された辞書によって、システム辞書２４１のシステム辞書本体２４１ａを置き換えるとしても良い。
【０１５７】
以上の説明では、移動通信装置ＭＳが適切な辞書を選択するとしたが、これに限るものではない。辞書サーバ装置ＳＶが選択して、移動通信装置ＭＳに送信しても良い。辞書サーバ装置ＳＶが適切な辞書を選択する場合、辞書サーバ装置ＳＶは、使用者属性分析部２１０と、辞書選択部２２０とを備え、移動通信装置ＭＳは、上記説明した契機に、使用者属性分析部２１０の動作に必要な情報を辞書サーバ装置ＳＶに送信する。
【０１５８】
以上の説明は、本発明を移動通信装置ＭＳに適用した形態を例にとって行ったが、本発明は、携帯型であるか、固定型であるかを問わず、かな漢字変換処理を行うあらゆる装置、例えば、パソコンや、ＰＤＡに適用することが当然に可能である。また、かな漢字変換処理を行う装置と、辞書サーバ装置ＳＶとを接続する通信網ＮＷは、移動通信網を含むと限るものではない。
【０１５９】
本発明によれば、かな漢字変換処理を行なう処理、また、単語登録を行なう処理によって、装置の使用者の直接の操作なしに適切な分野毎辞書の選択が行なわれる。更に、使用者プロフィール１２１に適切な値を記憶させることにより、装置の使用者の直接の操作なしに適切な分野毎辞書の選択が行なわれる。
【０１６０】
また、以上の説明は、装置の使用者は１名であるとしたが、複数名であっても良い。複数名である場合、１名毎に使用者プロフィール１２１と、使用者属性学習表２３１と、使用者選択辞書カテゴリ管理表２３３と、システム辞書カウンタ２４１ｆと、単語登録辞書２４２と、ダウンロード辞書２４３とを備えれば良い。本発明は以上の構成に限定されるものではなく、種々の変形が可能である。
【図面の簡単な説明】
【０１６１】
【図１】本発明の実施形態に係る移動通信装置を含む辞書選択システムの構成を示すブロック図。
【図２】本発明の実施形態に係る移動通信装置の構成を示すブロック図。
【図３】本発明の実施形態に係る辞書サーバ装置の構成を示すブロック図。
【図４】本発明の実施形態に係る使用者プロフィールの構成の一例を示す図。
【図５】本発明の実施形態に係る使用者属性学習表の構成の一例を示す図。
【図６】本発明の実施形態に係る辞書カテゴリサンプル表の構成の一例を示す図。
【図７】本発明の実施形態に係る使用者選択辞書カテゴリ管理表の構成の一例を
【図８】本発明の実施形態に係るシステム辞書のシステム辞書本体の構成の一例を示す図。
【図９】本発明の実施形態に係るシステム辞書のシステム辞書カウンタの構成の一例を示す図。
【図１０】本発明の実施形態に係る単語登録辞書の構成の一例を示す図。
【図１１】本発明の実施形態に係るダウンロード辞書の構成の一例を示す図。
【図１２】本発明の実施形態に係るプロフィールカテゴリ対応の構成の一例を示す図。
【図１３】本発明の実施形態に係る辞書コンテンツの構成の一例を示す図。
【図１４】本発明の実施形態に係る適切な辞書を選択する動作おける辞書に係る情報の流れの概要を示す図。
【図１５】本発明の実施形態に係る移動通信装置の制御部が使用者プロフィールを記憶させる動作のフローチャート。
【図１６】本発明の実施形態に係る使用者属性分析部が装置の使用者の属性カテゴリを判断する動作のフローチャート。
【図１７】本発明の実施形態に係る辞書選択部がダウンロードする辞書を選択し、選択された辞書をダウンロードする動作のフローチャート。
【符号の説明】
【０１６２】
ＭＳ  移動通信装置
ＳＶ  辞書サーバ装置
１１０、３１０  制御部
１２０  データベース記憶部
１２１  使用者プロフィール
１２１ａ  職業
１２１ｂ  趣味
１２１ｃ  出身地
２１０  使用者属性分析部
２２０  辞書選択部
２３０  辞書ダウンロード管理情報記憶部
２３１  使用者属性学習表
２３１ａ  分類
２３１ｂ  使用者登録項目
２３１ｃ、３５１ｃ  使用者属性カテゴリ
２３２  辞書カテゴリサンプル表
２３２ａ、２３３ａ、３５２ａ  辞書識別情報
２３２ｂ、２３３ｂ、３５２ｂ  辞書カテゴリ
２３２ｃ、３５２ｃ  サンプル候補
２３３  使用者選択辞書カテゴリ管理表
２３３ｃ  使用者属性分析結果
２３３ｄ  使用者選択
２３３ｅ  ダウンロード結果
２４０  辞書記憶部
２４１  システム辞書
２４１ａ  システム辞書本体
２４１ｂ、２４２ａ、２４３ａ  読み
２４１ｃ、２４２ｂ、２４３ｂ  見出し
２４１ｄ、２４２ｃ、２４３ｃ  品詞
２４１ｅ、２４１ｇ  カテゴリ
２４１ｆ  システム辞書カウンタ
２４１ｈ  参照回数
２４２  単語登録辞書
２４３  ダウンロード辞書
２５０  漢字入力部
２６０  入力装置
２７０  表示部
３４０  辞書類配信部
３５０  辞書類記憶部
３５１  プロフィールカテゴリ対応
３５１ａ  プロフィール項目
３５１ｂ  プロフィール値
３５２  辞書コンテンツ
３５２ｄ  辞書
【図１】
2010039847.tif 000003
【図２】
2010039847.tif 000004
【図３】
2010039847.tif 000005
【図４】
2010039847.tif 000006
【図５】
2010039847.tif 000007
【図６】
2010039847.tif 000008
【図７】
2010039847.tif 000009
【図８】
2010039847.tif 000010
【図９】
2010039847.tif 000011
【図１０】
2010039847.tif 000012
【図１１】
2010039847.tif 000013
【図１２】
2010039847.tif 000014
【図１３】
2010039847.tif 000015
【図１４】
2010039847.tif 000016
【図１５】
2010039847.tif 000017
【図１６】
2010039847.tif 000018
【図１７】
2010039847.tif 000019